(57)【要約】【課題】着脱の手間を省くことができ、かつ、取り付けたままの状態において屋根の美観を損ねることもなく、さらに、両流れ構造の屋根又は片流れ構造の屋根のいずれにも設置可能な命綱取付用金具と、この命綱取付用金具を備えた屋根構造を提供する。【解決手段】命綱取付用金具１は、勾配屋根の垂木１７に当接する当接面２と、当接面２から水平方向に延びる水平面３とを備え、水平面３にはボルト７が挿通するための挿通穴６が形成され、挿通穴６に下方から挿通されたボルト７が勾配屋根を貫通し、勾配屋根上に突出したボルト７の先端３４には命綱が取り付けられるアイナット９が螺着される。【選択図】      図５
2004156351.tif 000002
【特許請求の範囲】
【請求項１】
勾配屋根の垂木に当接する当接面と、該当接面から略水平方向に延びる水平面とを備え、
前記水平面にはボルトが挿通するための挿通穴が形成され、該挿通穴に下方から挿通されたボルトが前記勾配屋根を貫通し、前記勾配屋根上に突出した前記ボルトの先端には命綱が取り付けられるアイナットが螺着されることを特徴とする命綱取付用金具。
【請求項２】
前記当接面の下部に鈎状の係止部が設けられ、前記当接面が前記垂木の一の側面に当接するとともに、前記係止部が前記垂木の下面及び他の側面に係止することを特徴とする請求項１に記載の命綱取付用金具。
【請求項３】
請求項１又は請求項２の命綱取付用金具が設けられた屋根構造であって、
命綱使用時には命綱が取り付けられる前記アイナットが前記ボルトの先端に螺着され、命綱不使用時には袋ナットが前記ボルトの先端に螺着されることを特徴とする屋根構造。
【発明の詳細な説明】
【０００１】
【発明の属する技術分野】
本発明は、建物の勾配屋根に設置されて、屋根上の作業者に装着された命綱の取り付けに用いられる命綱取付用金具と、この命綱取付用金具を備えた屋根構造に関する。
【０００２】
【従来の技術】
建物の勾配屋根においてその補修や改修等の作業を行う際には、作業者は屋根に取り付けられた命綱を装着して安全性を確保することが必要となってくる。従来より、勾配屋根の上においてこの命綱を引っ掛けて取り付けるための命綱取付具としては、例えば特許文献１に記載されているように、蝶番部で連結された２枚の板状部材の各々にアイボルトが固設されてなるもので、屋根の棟に板状部材を被せて、この棟をはさんで対峙する屋根両側軒先部に固定用綱を掛け渡してアイボルトを屋根の上に固定するものが知られている。また、特許文献２に示されているように、起立板を介して山形の固定用基板と命綱引掛板とが一体結合されたもので、固定用基板を勾配屋根の両側に跨らせ野地板の表面側から棟木に釘止めするものや、特許文献３に記載されているように、棟の全長にわたって設けられた断面傘型の棟飾り金物に命綱を取り付ける引っ掛け金物を被せるものも知られている。
【０００３】
【特許文献１】
特開平８−３１２１５５号公報
【特許文献２】
特開平１０−１５９２８６号公報
【特許文献３】
実開平６−２０６９９号公報
【０００４】
【発明が解決しようとする課題】
しかしながら、上記の従来の命綱取付具はいずれも棟を跨ぐ構造を採るため、両流れ構造の屋根にのみ取り付けることが可能で、その構造上片流れ構造の屋根には用いることができなかった。
【０００５】
また、特許文献３に記載の命綱取付具では、屋根の補修作業等を行わない場合においても棟の全長にわたって設けられた棟飾り金物が屋根に突出した状態で残るため、見栄えに劣るといる問題がある。
【０００６】
一方、特許文献１に記載の命綱取付具は、作業を行わないときは取り外すことが可能であるため屋根の美観を損ねることがないが、作業の度に命綱取付具を屋根に着脱する手間が必要となる。
【０００７】
本発明は、このような問題に鑑みてなされたもので、着脱の手間を省くことができ、かつ、取り付けたままの状態において屋根の美観を損ねることもなく、さらに、両流れ構造の屋根又は片流れ構造の屋根のいずれにも設置可能な命綱取付用金具と、この命綱取付用金具を備えた屋根構造を提供することを課題としている。
【０００８】
【課題を解決するための手段】
このような課題を解決するために、請求項１に記載の命綱取付用金具は、勾配屋根の垂木に当接する当接面と、該当接面から略水平方向に延びる水平面とを備え、前記水平面にはボルトが挿通するための挿通穴が形成され、該挿通穴に下方から挿通されたボルトが前記勾配屋根を貫通し、前記勾配屋根上に突出した前記ボルトの先端には命綱が取り付けられるアイナットが螺着されることを特徴とする。
【０００９】
請求項２に記載の命綱取付用金具は、請求項１に記載の発明において、前記当接面の下部に鈎状の係止部が設けられ、前記当接面が前記垂木の一の側面に当接するとともに、前記係止部が前記垂木の下面及び他の側面に係止することを特徴とする。
【００１０】
請求項３に記載の屋根構造は、請求項１又は請求項２の命綱取付用金具が設けられた屋根構造であって、命綱使用時には命綱が取り付けられる前記アイナットが前記ボルトの先端に螺着され、命綱不使用時には袋ナットが前記ボルトの先端に螺着されることを特徴とする。
【００１１】
【発明の実施の形態】
以下、図面を参照して本発明の実施の形態について説明する。
【００１２】
図１は、本発明の実施の形態に係る命綱取付用金具を示し、この命綱取付用金具１は建物の屋根上の作業者に装着される命綱の取り付けに用いられる。
【００１３】
命綱取付用金具１は１枚の長尺状の金属板からなり、命綱取付用金具１の設置時に勾配屋根の垂木の一の側面に当接する当接面２と、この当接面２の上部が屈曲されて水平方向に延びる水平面３と、当接面２の下部が水平面３と反対側に屈曲されて鈎状に形成された係止部としての係止面４とを備えている。
【００１４】
当接面２には３つのネジ穴５が形成されるとともに、水平面３の中央にはボルトが挿通するための挿通穴６が形成されている。
【００１５】
この命綱取付用金具１に、図２に示すように、ボルト７が挿通穴６の下方から挿通され、このボルト７の先端に上方から袋ナット３７（図６参照）又は命綱を引っ掛けて取り付けるための環状部８を有するアイナット９が交換可能に螺着されて命綱取付具１０となる。
【００１６】
命綱取付具１０は、例えば図３に示す片流れ構造の屋根に用いられる。柱材１１の上部は棟木１２が水平方向に架け渡されるとともに、柱材１１の外側には空気層１３をはさんで壁板材１４が設けられ外壁を形成している。また、棟木１２から図示を略す軒桁に架けて屋根パネル１５が設けられている。屋根パネル１５は屋根の外装となる屋根板材１６と、この屋根板材１６を支えるための垂木１７と、水平方向に延びる補強材である横桟材１８を備えている。垂木１７の上部（垂木１７の棟木１２側）の下面１９は壁板材１４及びフレーム２０に当たる部分が直方体状に切り欠かれている。
【００１７】
また、水平方向に延びる縦端材２１が屋根パネル１５の垂木１７の上部の端面３８に当接するように配設されて、縦端材２１の上方には同様に水平方向に延びる横端材２２が設けられている。横端材２２から縦端材２１を渡って壁板材１４までの外壁に当たる部分は防水鋼板２３で被覆されるとともに、飾り部材２４及びシール材２５でカバーされている。さらに、防水鋼板２３は屋根板材１６の上方まで延び、雨押え受け木材２６，２７で支えられて、水きり部２８とともに雨等が屋根から内部に浸水するのを防止している。
【００１８】
このような構造の屋根に命綱取付具１０を設置する際は、まず図２及び図４で示すように、命綱取付用金具１の当接面２が垂木１７の一の側面３９に当接し、かつ、命綱取付用金具１の係止面４が垂木１７の直方体状に切り欠かれた下面１９及び他の側面３０に係止するように、命綱取付用金具１を配置し、当接面２に形成されたネジ穴５からネジ３１を挿通させ螺着させることにより命綱取付用金具１を垂木１７に直接固定する。また、水平面３の挿通穴６に下方からボルト７を挿通させ水平面３の上方から皿ばね座金３２を介してナット３３で締め命綱取付用金具１とボルト７とを固定した後、水平面３の上方に位置する横端材２２に図示を略す貫通穴を設けてボルト７を貫通させる。このようにして屋根の外部まで貫通し突出したボルト７の先端３４に、図５に示すように、パッキン３５及びワッシャ３６を介してアイナット９を螺着することによって、命綱取付具１０が屋根に完全に固定されるとともに、命綱を引っ掛けて取り付けるための環状部８を屋根に設けることができるようになっている。なお、パッキン３５を介在させることによって横端材２２の図示を略す貫通穴からの浸水の防止を可能としている。
【００１９】
一方、作業等を行わず環状部８の必要がないときには、図６に示すように、アイナット９を取り外してアイナット９の代わりに袋ナット３７を螺着することができるようになっている。
【００２０】
この実施の形態に係る命綱取付用金具１では、勾配屋根の垂木１７の上部に当接する当接面２と、当接面２から略水平方向に延びる水平面３とを備え、水平面３の挿通穴６に下方から挿通されたボルト７が屋根の外部まで貫通し、屋根上に突出したボルト７の先端３４に命綱が取り付けられるアイナット９が螺着されることとしたので、従来の命綱取付具のように両流れ構造の屋根の棟に跨る状態で命綱取付用金具１を取り付けることなく安定性及び強度を確保することができ、片流れ構造の屋根にも用いることが可能である。すなわち、命綱取付具１０は勾配屋根の構造に左右されることなく従来の命綱取付具に比してより幅広い使用が可能となる。さらに、パネル工法による建築の場合は、屋根パネル１５を吊り上げるときの吊具としても用いることができる。
【００２１】
また、補修作業等の度に命綱取付用金具１の着脱を行う必要がなく、作業の際の命綱取付用金具１の着脱の手間を必要としない。
【００２２】
さらに、アイナット９がボルト７の先端３４に螺着されることとしたので、作業を行わず環状部８の必要がないときには、アイナット９を取り外すことができ、アイナット９の代わりに袋ナット３７を螺着することができる。したがって、屋根の上での作業を行わない通常の状態では、命綱取付具１０を外観上目立たせなくすることが容易に可能で、命綱取付具１０を取り付けたままの状態でも屋根の美観を損ねることがない。その交換に際しても、アイナット９及び袋ナット３７はネジ作用によってボルト７に取り付けられているため、その着脱及び交換作業を容易に行うことができる。
【００２３】
また、本実施の形態の他の例として、例えばユニット建物におけるユニット間において命綱取付具を取り付ける場合には、図７に示す命綱取付用金具４０を用いてもよい。この命綱取付用金具４０は、設置時に勾配屋根の垂木の上部の端面及びユニットの金属製柱材に当接する当接面４１と、この当接面４１の上部が屈曲されて水平方向に延びる水平面４２とを備えている。
【００２４】
当接面４１の下部にはボルトが挿通するための２つの挿通穴４３が形成されるとともに、水平面４２の中央にはボルトが挿通するための１つの挿通穴４４が形成されている。
【００２５】
この命綱取付用金具４０を有する命綱取付具４５を屋根に設置する際は、図８で示すように、命綱取付用金具４０の当接面４１が垂木１７の上部の端面４６に当接し、かつ、ユニット間において隣接する２本の柱材４７に形成された図示を略す挿通穴が当接面４１の挿通穴４３に対向しながら当接するように命綱取付用金具４０を配置し、当接面４１の挿通穴４３からボルト４８を挿通させ柱材４７の内側からナットによって締めることにより命綱取付用金具４０を柱材４７に直接固定する。
【００２６】
また、水平面４２のボルト穴４４に下方からボルト７を挿通させ水平面４２の上方から皿ばね座金３２を介してナット３３で締め命綱取付用金具４０とボルト７とを固定した後、水平面４２の上方に位置する横端材２２に図示を略す貫通穴を設けてボルト７を貫通させる。このようにして屋根の外部まで貫通し突出したボルト７の先端３４にパッキン３５及びワッシャ３６を介してアイナット９を螺合させて取り付ける。
【００２７】
この命綱取付用金具４０では、当接面４１が勾配屋根の垂木１７の上部の端面４６に当接することとしたので、アイナット９に取り付けられた命綱が垂木１７の下部方向（図８に示す矢印Ａ方向）に引っ張られて命綱取付用金具４０に荷重がかかっても、垂木１７の上部の端面４６に当接する当接面４１に支持されるため、安定性を確保することができる。
【００２８】
【発明の効果】
本発明は、以上説明したように構成したので、着脱の手間を省くことができ、かつ、取り付けたままの状態において屋根の美観を損ねることもなく、さらに、両流れ構造の屋根又は片流れ構造の屋根のいずれにも設置することができる。
【図面の簡単な説明】
【図１】本発明の実施の形態に係る命綱取付用金具を示し、（ａ）は命綱取付用金具の正面図であり、（ｂ）は命綱取付用金具の右側面図であり、（ｃ）は命綱取付用金具の平面図である。
【図２】図１の命綱取付用金具を備えた命綱取付具が屋根に設置された状態を正面から示した断面図である。
【図３】片流れ構造の屋根を側面から示した断面図である。
【図４】命綱取付具が屋根に設置される過程を説明する図である。
【図５】アイナットが螺着された命綱取付具が屋根に設置された状態を説明する図である。
【図６】袋ナットが螺着された命綱取付具が屋根に設置された状態を説明する図である。
【図７】本実施の形態の他の例としての命綱取付用金具を示し、（ａ）は命綱取付用金具の正面図であり、（ｂ）は命綱取付用金具の右側面図であり、（ｃ）は命綱取付用金具の平面図である。
【図８】図７の命綱取付具が屋根に設置された状態を説明する図である。
【符号の説明】
１、４０        命綱取付用金具
２、４１        当接面
３、４２        水平面
４              係止面（係止部）
６、４４        挿通穴
７              ボルト
９              アイナット
１０、４５        命綱取付具
１６              屋根板材
１７              垂木
１９              下面
３０              他の側面
３４              先端
３７              袋ナット
３９              一の側面
【図１】
2004156351.tif 000003
【図２】
2004156351.tif 000004
【図３】
2004156351.tif 000005
【図４】
2004156351.tif 000006
【図５】
2004156351.tif 000007
【図６】
2004156351.tif 000008
【図７】
2004156351.tif 000009
【図８】
2004156351.tif 000010